(57)【要約】【課題】吐出口から吐出される吸入空気の流れの乱れを抑制し、過給効率の低下をより抑制することができるターボ過給機用コンプレッサハウジングを提供する。【解決手段】ターボ過給機用コンプレッサハウジング１は、少なくとも、吸入流路１３と吸気側スクロール室壁面１４とスクロール室外周壁面１５とを有するスクロールピース１０と、スクロール室外周壁面に嵌め込まれてスクロール室１７における外周側の壁面の少なくとも一部を形成するリアピース３０と、にて構成されており、吐出口１２はスクロールピースに設けられており、リアピースは、環状に形成されることなく吐出口に近接する部分が欠損したＣ字状に形成されており、リアピース欠損部３１がスクロールピース１０と一体となるようにスクロールピースに設けられている。【選択図】図１
2014020312.tif 000002
【特許請求の範囲】
【請求項１】
複数のフィンが設けられて回転軸回りに回転可能なインペラを収容可能であり、
前記回転軸の方向から吸入空気を吸い込む吸入流路と、
前記インペラの外周側に設けられて前記インペラの外周側に吐出された吸入空気を吐出口へと案内するスクロール室と、
前記スクロール室の端部に設けられて吸入空気を吐出する前記吐出口と、を有するターボ過給機用コンプレッサハウジングにおいて、
前記ターボ過給機用コンプレッサハウジングは、少なくとも、
筒状の前記吸入流路と、前記スクロール室における吸気側の壁面を形成する吸気側スクロール室壁面と、前記スクロール室の外周側の壁面を形成するスクロール室外周壁面と、を有するスクロールピースと、
前記スクロール室外周壁面に嵌め込まれて前記スクロール室における外周側の壁面の少なくとも一部を形成するリアピースと、にて構成されており、
前記吐出口は、前記スクロールピースに設けられており、
前記リアピースは、環状に形成されることなく前記吐出口に近接する部分が欠損したＣ字状に形成されており、
前記リアピースにおける欠損部分であるリアピース欠損部は、前記スクロールピースと一体となるように前記スクロールピースに設けられている、
ターボ過給機用コンプレッサハウジング。
【請求項２】
請求項１に記載のターボ過給機用コンプレッサハウジングであって、
前記リアピース欠損部は、前記吐出口における前記インペラに近い側の内壁と前記吸入流路の内壁とに接する第１仮想接線を設定した場合に当該第１仮想接線によって切り取られる第１領域内であって、少なくとも前記吐出口における前記インペラに近い側の内壁の延長線と前記回転軸から前記吐出口における前記インペラに遠い側の内壁へ向かう垂線とによって切り取られる前記吐出口の側となる第２領域を含む領域に相当している、
ターボ過給機用コンプレッサハウジング。
【請求項３】
請求項１または２に記載のターボ過給機用コンプレッサハウジングであって、
前記ターボ過給機用コンプレッサハウジングは、前記吸入流路と前記吸気側スクロール室壁面との内壁側の境界部を覆う位置に嵌め込まれて前記インペラと対向するシュラウド面を有するシュラウドピースをさらに有し、
前記シュラウドピースは、環状に形成されることなく前記吐出口に近接する部分が欠損したＣ字状に形成されており、
前記シュラウドピースにおける欠損部分であるシュラウドピース欠損部は、前記スクロールピースと一体となるように前記スクロールピースに設けられている、
ターボ過給機用コンプレッサハウジング。
【請求項４】
請求項３に記載のターボ過給機用コンプレッサハウジングであって、
前記シュラウドピース欠損部は、前記吐出口における前記インペラに近い側の内壁と前記シュラウドピースの内壁とに接する第２仮想接線を設定した場合、当該第２仮想接線によって切り取られる領域に相当している、
ターボ過給機用コンプレッサハウジング。
【発明の詳細な説明】
【技術分野】
【０００１】
本発明は、ターボ過給機用コンプレッサハウジングの構造に関する。
【背景技術】
【０００２】
従来より、エンジンの出力特性の改善等を目的として、排気ガスの流速を利用してタービン側のインペラを回転させ、タービン側のインペラに連結されたコンプレッサ側のインペラを回転させて吸入空気を過給する種々のターボ過給機が開発されている。そして、コンプレッサ側のインペラを収容する種々のコンプレッサハウジングの構造が開示されている。
例えば特許文献１に記載された従来技術には、図９（Ａ）に示すように、吸気口形成部１１３とスクロール壁面形成部１１４とを有するスクロールピース１１０と、スクロール室１１７における内周側の内壁面の一部を形成するシュラウドピース１２０と、スクロール室１１７の外周側の内壁面１３１の一部（タービン側の内壁面）を形成する環状の外周環状ピース１３０と、の３つのピースで構成されたコンプレッサハウジング１０１が開示されている。
また例えば特許文献２に記載された従来技術には、図９（Ｂ）に示すように、吸気口形成部２１３とスクロール壁面形成部２１４とを有するスクロールピース２１０と、スクロール室２１７における内周側の内壁面の一部を形成するシュラウドピース２２０と、スクロール室２１７の外周側の内壁面２３１の一部（タービン側の内壁面）を形成する環状の外周環状ピース２３０と、の３つのピースで構成されたコンプレッサハウジング２０１が開示されている。
【先行技術文献】
【特許文献】
【０００３】
【特許文献１】特許第４７７８０９７号公報
【特許文献２】特開２０１１−７１２５号公報
【発明の概要】
【発明が解決しようとする課題】
【０００４】
特許文献１に記載された従来技術では、コンプレッサハウジング１０１内のスクロール室１１７から吐出される吸入空気は吐出口（図示省略）から吐出されるが、当該吐出口の近傍の内壁には、図９（Ａ）に示すようにスクロールピース１１０と外周環状ピース１３０との境界部１４０が形成されている。そして、回転軸ＺＣ回りに回転するインペラ１６０によって過給されて吐出口から吐出される吸入空気の流れは、この境界部１４０の隙間や段差等によって乱されるので、過給効率が低下する可能性がある。
同様に、特許文献２に記載された従来技術でも、図９（Ｂ）に示すようにスクロールピース２１０と外周環状ピース２３０との境界部２４０が形成されている。そして、回転軸ＺＣ回りに回転するインペラ２６０によって過給されて吐出口から吐出される吸入空気の流れは、この境界部２４０の隙間や段差等によって乱されるので、過給効率が低下する可能性がある。
本発明は、このような点に鑑みて創案されたものであり、吐出口から吐出される吸入空気の流れの乱れを抑制し、過給効率の低下をより抑制することができるターボ過給機用コンプレッサハウジングを提供することを課題とする。
【課題を解決するための手段】
【０００５】
上記課題を解決するため、本発明に係るターボ過給機用コンプレッサハウジングは次の手段をとる。
まず、本発明の第１の発明は、複数のフィンが設けられて回転軸回りに回転可能なインペラを収容可能であり、前記回転軸の方向から吸入空気を吸い込む吸入流路と、前記インペラの外周側に設けられて前記インペラの外周側に吐出された吸入空気を吐出口へと案内するスクロール室と、前記スクロール室の端部に設けられて吸入空気を吐出する前記吐出口と、を有するターボ過給機用コンプレッサハウジングにおいて、前記ターボ過給機用コンプレッサハウジングは、少なくとも、筒状の前記吸入流路と、前記スクロール室における吸気側の壁面を形成する吸気側スクロール室壁面と、前記スクロール室の外周側の壁面を形成するスクロール室外周壁面と、を有するスクロールピースと、前記スクロール室外周壁面に嵌め込まれて前記スクロール室における外周側の壁面の少なくとも一部を形成するリアピースと、にて構成されている。
そして、前記吐出口は、前記スクロールピースに設けられており、前記リアピースは、環状に形成されることなく前記吐出口に近接する部分が欠損したＣ字状に形成されており、前記リアピースにおける欠損部分であるリアピース欠損部は、前記スクロールピースと一体となるように前記スクロールピースに設けられている。
【０００６】
この第１の発明では、スクロール室の端部に設けられた吐出口に近接する部分が欠損したＣ字状となるようにリアピースを形成し、リアピース欠損部をスクロールピースに一体的に設ける。この構造とすることで、吐出口の近傍において、リアピースとスクロールピースとの境界部を無くし、吐出口の近傍の内壁を、隙間や段差等の無い滑らかな面とすることができる。
これにより、吐出口から吐出される吸入空気の流れの乱れを抑制し、過給効率の低下をより抑制することができるターボ過給機用コンプレッサハウジングを実現することができる。
【０００７】
次に、本発明の第２の発明は、上記第１の発明に係るターボ過給機用コンプレッサハウジングであって、前記リアピース欠損部は、前記吐出口における前記インペラに近い側の内壁と前記吸入流路の内壁とに接する第１仮想接線を設定した場合に当該第１仮想接線によって切り取られる第１領域内であって、少なくとも前記吐出口における前記インペラに近い側の内壁の延長線と前記回転軸から前記吐出口における前記インペラに遠い側の内壁へ向かう垂線とによって切り取られる前記吐出口の側となる第２領域を含む領域に相当している。
【０００８】
この第２の発明によれば、適切な領域をリアピース欠損部に設定することが可能である。
【０００９】
次に、本発明の第３の発明は、上記第１の発明または第２の発明に係るターボ過給機用コンプレッサハウジングであって、前記ターボ過給機用コンプレッサハウジングは、前記吸入流路と前記吸気側スクロール室壁面との内壁側の境界部を覆う位置に嵌め込まれて前記インペラと対向するシュラウド面を有するシュラウドピースをさらに有し、前記シュラウドピースは、環状に形成されることなく前記吐出口に近接する部分が欠損したＣ字状に形成されており、前記シュラウドピースにおける欠損部分であるシュラウドピース欠損部は、前記スクロールピースと一体となるように前記スクロールピースに設けられている。
【００１０】
この第３の発明によれば、スクロール室の端部に設けられた吐出口に近接する部分が欠損したＣ字状となるようにシュラウドピースを形成し、シュラウドピース欠損部をスクロールピースに一体的に設ける。この構造とすることで、吐出口の近傍において、シュラウドピースとスクロールピースとの境界部を無くし、吐出口の近傍の内壁を、隙間や段差等の無い滑らかな面とすることができる。
これにより、吐出口から吐出される吸入空気の流れの乱れを抑制し、過給効率の低下をより抑制することができるターボ過給機用コンプレッサハウジングを実現することができる。
【００１１】
次に、本発明の第４の発明は、上記第３の発明に係るターボ過給機用コンプレッサハウジングであって、前記シュラウドピース欠損部は、前記吐出口における前記インペラに近い側の内壁と前記シュラウドピースの内壁とに接する第２仮想接線を設定した場合、当該第２仮想接線によって切り取られる領域に相当している。
【００１２】
この第４の発明によれば、第２仮想接線によって切り取られる領域に相当する部分をシュラウドピース欠損部とする。
これにより、適切な領域をシュラウドピース欠損部に設定することが可能である。
【図面の簡単な説明】
【００１３】
【図１】第１の実施の形態のコンプレッサハウジング１を構成するスクロールピース１０、シュラウドピース２０、リアピース３０の外観を説明する斜視図である。
【図２】第１の実施の形態における第１仮想接線Ｋ１とリアピース欠損部３１（第１補充部１６）の領域を説明する図である。
【図３】図２におけるＡ−Ａ断面図であり、リアピース欠損部３１を第１補充部１６としてスクロールピース１０に一体的に設けた状態を説明する図である。
【図４】第１の実施の形態のコンプレッサハウジング１を、吐出口１２の開口方向から見た図である。
【図５】第２の実施の形態のコンプレッサハウジング１Ａを構成するスクロールピース１０Ａ、シュラウドピース２０Ａ、リアピース３０の外観を説明する斜視図である。
【図６】第２の実施の形態における第２仮想接線Ｋ２とシュラウドピース欠損部２２（第２補充部１８）の領域を説明する図である。
【図７】図６におけるＢ−Ｂ断面図であり、リアピース欠損部３１を第１補充部１６として、シュラウドピース欠損部２２を第２補充部１８として、スクロールピース１０Ａに一体的に設けた状態を説明する図である。
【図８】第２の実施の形態のコンプレッサハウジング１Ａを、吐出口１２の開口方向から見た図である。
【図９】従来のコンプレッサハウジング１０１、２０１のそれぞれの構造を説明する断面図である。
【発明を実施するための形態】
【００１４】
以下に本発明を実施するための形態を図面を用いて説明する。
なお、各図においてＸ軸とＹ軸とＺ軸は互いに直交しており、Ｚ軸方向はコンプレッサハウジングに収容されるインペラの回転軸ＺＣ方向を示しており、Ｘ軸方向は吐出口１２の開口方向を示している。
【００１５】
●［第１の実施の形態におけるコンプレッサハウジング１（図１〜図４）］
まず図１〜図４を用いて、第１の実施の形態におけるコンプレッサハウジング１（ターボ過給機用コンプレッサハウジングに相当）について説明する。図１は、コンプレッサハウジング１を構成するスクロールピース１０、シュラウドピース２０、リアピース３０の外観を説明する斜視図である。また図２はコンプレッサハウジング１を回転軸ＺＣ方向から見た図を示しており、図３は図２におけるＡ−Ａ断面図を示しており、図４はコンプレッサハウジング１を吐出口１２の開口方向から見た図を示している。
【００１６】
図３に示すように、コンプレッサハウジング１は、複数のフィンが設けられて回転軸ＺＣ回りに回転可能なインペラ６０を収容可能である。また、図１及び図３に示すように、コンプレッサハウジング１は、回転軸ＺＣ方向から吸入空気を吸い込む吸入流路１３と、インペラ６０の外周側に設けられてインペラ６０の外周側に吐出された吸入空気を吐出口１２へと案内するスクロール室１７と、スクロール室１７の端部に設けられて吸入空気を吐出する吐出口１２と、を有している。
そして図１及び図３に示すように、コンプレッサハウジング１は、少なくとも、スクロールピース１０と、シュラウドピース２０と、リアピース３０と、にて構成されている。
【００１７】
スクロールピース１０は、吸気口１１を形成する筒状の吸入流路１３と、スクロール室１７における吸気側の壁面を形成する吸気側スクロール室壁面１４と、スクロール室１７の外周側の壁面を形成するスクロール室外周壁面１５と、を有している。
吐出口１２は、スクロールピース１０に設けられており、スクロール室１７と連通するようにスクロール室１７の端部に設けられ、スクロール室１７の外周側の内壁の接線方向に開口している。
シュラウドピース２０は、図３に示すようにスクロールピース１０とインペラ６０との間に配置されている。またシュラウドピース２０は、吸入流路１３と吸気側スクロール室壁面１４との内壁側の境界部を覆う位置に嵌め込まれてインペラ６０と対向するシュラウド面２１を有しており、略環状に形成されている。
リアピース３０は、スクロール室外周壁面１５に嵌め込まれてスクロール室１７における外周側の壁面の少なくとも一部を形成している。
ここで、リアピース３０は、環状に形成されることなく吐出口１２に近接する部分が欠損したＣ字状に形成されている。
そしてリアピース３０における欠損部であるリアピース欠損部３１は、第１補充部１６としてスクロールピース１０と一体となるようにスクロールピース１０に設けられている。
このリアピース欠損部３１をスクロールピース１０に一体的に設けている点が、第１の実施の形態の特徴である。
【００１８】
次に図２を用いて、リアピース欠損部３１の領域（範囲）について説明する。
ここで、吐出口１２におけるインペラに近い側（回転軸ＺＣに近い側）の内壁から吸入流路１３の内壁に接する第１仮想接線Ｋ１を設定する。また、吐出口１２におけるインペラに近い側の内壁の延長線を延長線Ｋ３とする。また、回転軸ＺＣから、吐出口１２におけるインペラに遠い側の内壁へ向かう垂線を垂線Ｋ４とする。
そして、第１仮想接線Ｋ１によって切り取られるリアピース３０の領域を第１領域αとする。また、延長線Ｋ３と垂線Ｋ４によって切り取られるリアピース３０における吐出口１２の側の領域を第２領域βとする。
この第１領域α内であって、少なくとも第２領域βを含む領域（最小となる領域βから最大となる領域αまでの任意の領域）に相当する部分を、リアピース欠損部３１（第１補充部１６）として、スクロールピース１０と一体となるようにスクロールピース１０に設ける。なお、図２の例は、第１領域αをリアピース欠損部３１（第１補充部１６）とした例を示している。
リアピース欠損部３１を、吐出口１２の近傍に設けるとともに、吐出口１２から直線状に切り取った領域とすることで、ダイカスト成形にてスクロールピース１０を成形した際の取り出しも容易となる。
【００１９】
仮に図９（Ａ）及び（Ｂ）に示す従来のコンプレッサハウジング１０１、２０１を吐出口の方向から見ると、図４に示す符号（４０）の位置にはリアピースとスクロールピースとの境界部（図９（Ａ）及び（Ｂ）中の境界部１４０、２４０）が存在し、符合２０の位置にはシュラウドピースの縁部が吐出口の内壁面から飛び出している。
これに対して第１の実施の形態では、図４に示すように、吐出口１２の近傍には、リアピース３０とスクロールピース１０との境界部（４０）が存在しない。
第１の実施の形態では、図３に示すように、リアピース欠損部３１を第１補充部１６としてスクロールピース１０と一体的に設けているので、吐出口１２の近傍において、スクロール室１７の内壁面における外周側内壁面１７Ａには、リアピース３０とスクロールピース１０との境界部が存在しないからである。
ただし、第１の実施の形態では、内周側内壁面１７Ｂ（図３参照）にはシュラウドピース２０とスクロールピース１０との境界部が存在しているので、図４中の符合２０の位置にシュラウドピース２０の飛び出しが残っている。このシュラウドピース２０の飛び出しの解消については、第２の実施の形態にて説明する。
【００２０】
以上に説明したように、第１の実施の形態では、リアピース３０とスクロールピース１０との境界部による隙間や段差等が、吐出口１２の近傍に形成されないので、吐出口１２から吐出される吸入空気の流れの乱れが抑制され、過給効率の低下を抑制することができる。
また、リアピース３０が環状である場合はスクロールピース１０に圧入しなければ固定することができなかったが、リアピース３０がＣ字状であるので、リアピース３０を縮径するように湾曲させてスクロールピース１０のスクロール室外周壁面１５に嵌め込み、リアピース３０の拡径方向への復元力にてスクロールピース１０に固定することができる。このため、スクロールピース１０へのリアピース３０の組み付けを、より容易にすることができる。
【００２１】
●［第２の実施の形態におけるコンプレッサハウジング１Ａ（図５〜図８）］
次に図５〜図８を用いて、第２の実施の形態におけるコンプレッサハウジング１Ａについて説明する。図５は、コンプレッサハウジング１Ａを構成するスクロールピース１０Ａ、シュラウドピース２０Ａ、リアピース３０の外観を説明する斜視図である。また図６はコンプレッサハウジング１Ａを回転軸ＺＣ方向から見た図を示しており、図７は図６におけるＢ−Ｂ断面図を示しており、図８はコンプレッサハウジング１Ａを吐出口１２の開口方向から見た図を示している。
第２の実施の形態のコンプレッサハウジング１Ａは、第１の実施の形態のコンプレッサハウジング１に対して、シュラウドピース２０Ａの形状と、スクロールピース１０Ａの形状が異なり、他は同じである。
以下、第１の実施の形態との相違点について主に説明する。
【００２２】
図５に示すように、シュラウドピース２０Ａは、環状に形成されることなく吐出口１２に近接する部分が欠損したＣ字状に形成されている。
そして図５及び図７に示すように、シュラウドピース２０Ａにおける欠損部であるシュラウドピース欠損部２２は、第２補充部１８としてスクロールピース１０Ａと一体となるようにスクロールピース１０Ａに設けられている。
このシュラウドピース欠損部２２をスクロールピース１０Ａに一体的に設けている点が、第２の実施の形態の特徴である。
なお、Ｃ字状のリアピース３０と、リアピース欠損部３１を第１補充部１６としてスクロールピース１０Ａに一体的に設ける点は、第１の実施の形態と同じであるので説明を省略する。
【００２３】
次に図６を用いて、シュラウドピース欠損部２２の領域（範囲）について説明する。
ここで、吐出口１２におけるインペラに近い側（回転軸ＺＣに近い側）の内壁からシュラウドピース２０Ａの内壁に接する第２仮想接線Ｋ２を設定する。
この第２仮想接線Ｋ２によって切り取られるシュラウドピース２０の領域に相当する部分をシュラウドピース欠損部２２（第２補充部１８）として、スクロールピース１０に一体的に設ける。なお、第１仮想接線Ｋ１及びリアピース欠損部３１（第１補充部１６）は第１の実施の形態にて説明したとおりであるので説明を省略する。
シュラウドピース欠損部２２を、吐出口１２の近傍に設けるとともに、吐出口１２から直線状に切り取った領域とすることで、ダイカスト成形にてスクロールピース１０Ａを成形した際の取り出しも容易となる。
なお、図６に示した例では、第１仮想接線Ｋ１と第２仮想接線Ｋ２を別々の接線としたが、近似した１本の仮想接線としてリアピース欠損部３１とシュラウドピース欠損部２２を設定してもよい。
【００２４】
仮に図９（Ａ）及び（Ｂ）に示す従来のコンプレッサハウジング１０１、２０１を吐出口の方向から見ると、図８に示す符号（４０）の位置にはリアピースとスクロールピースとの境界部（図９（Ａ）及び（Ｂ）中の境界部１４０、２４０）が存在し、符合（２０Ａ）の位置にはシュラウドピースの縁部が吐出口の内壁面から飛び出している。
これに対して第２の実施の形態では、図８に示すように、吐出口１２の近傍には、シュラウドピース２０Ａの飛び出し（図８中の符号（２０Ａ）の位置への飛び出し）も、リアピース３０とスクロールピース１０Ａとの境界部（４０）も存在しない。
第２の実施の形態では、図７に示すように、シュラウドピース欠損部２２を第２補充部１８としてスクロールピース１０Ａと一体的に設けているので、吐出口１２の近傍において、スクロール室１７の内壁面における内周側内壁面１７Ｂ（図７参照）には、シュラウドピース２０Ａとスクロールピース１０との境界部が存在しないからである。
【００２５】
以上に説明したように、第２の実施の形態では、リアピース３０とスクロールピース１０Ａとの境界部による隙間や段差等、及びシュラウドピース２０Ａとスクロールピース１０Ａとの境界部による隙間や段差等が、吐出口１２の近傍に形成されないので、吐出口１２から吐出される吸入空気の流れの乱れが抑制され、過給効率の低下を抑制することができる。
また、シュラウドピース２０Ａが環状である場合はスクロールピース１０Ａに圧入しなければ固定することができなかったが、シュラウドピース２０ＡがＣ字状であるので、シュラウドピース２０Ａを縮径するように湾曲させてスクロールピース１０Ａ内に嵌め込み、シュラウドピース２０Ａの拡径方向への復元力にてスクロールピース１０Ａに固定することができる。このため、スクロールピース１０Ａへのシュラウドピース２０Ａの組み付けを、より容易にすることができる。
以上に説明した第２の実施の形態では、リアピース欠損部３１に相当する第１補充部１６をスクロールピースに一体的に設けることに加えて、シュラウドピース欠損部２２に相当する第２補充部１８をスクロールピース１０Ａに一体的に設けることを説明した。
しかし、リアピース欠損部３１（第１補充部１６）をスクロールピース１０Ａに一体的に設けることなく、シュラウドピース欠損部２２（第２補充部１８）をスクロールピース１０Ａに一体的に設けるようにしてもよい。
【００２６】
以上、本実施の形態にて説明したコンプレッサハウジング１、１Ａでは、吐出口１２の近傍におけるリアピース、シュラウドピースの一部（リアピース欠損部３１、シュラウドピース欠損部２２）を、スクロールピースと一体となるようにスクロールピースに設けることで、吐出口１２の近傍の内壁における境界部を無くしている。
これにより、吐出口１２の近傍の内壁において境界部の隙間や段差等が存在せず滑らかな面を形成することができるので、吐出口１２から吐出される吸入空気の流れの乱れを抑制することが可能であり、過給効率の低下を抑制することができる。
また、リアピース欠損部３１、シュラウドピース欠損部２２の範囲を適切に設定することで、スクロールピースをダイカストにて成形することが可能であり、より効率よく低コストでスクロールピースを成形することが可能である。例えば、リアピース欠損部の領域（範囲）については、図２に示すように、第１領域α内において少なくとも第２領域βを含む任意の領域に相当する部分をリアピース欠損部３１（第１補充部１６）として、スクロールピースと一体となるようにスクロールピースに設ければ、インペラによって回転軸の回転方向に圧送された吸入空気の流れの乱れを抑制することが可能であり、過給効率の低下を抑制することができる。
また、リアピース、シュラウドピースを環状でなくＣ字状としているので、スクロールピースに圧入して固定するのでなく、縮径して嵌め込んで拡径方向への復元力にて固定することが可能であるので、コンプレッサハウジングの組み付けも容易である。
【００２７】
本発明のコンプレッサハウジング１、１Ａ（ターボ過給機用コンプレッサハウジング）は、本実施の形態で説明した外観、構成、構造、形状等に限定されず、本発明の要旨を変更しない範囲で種々の変更、追加、削除が可能である。
【符号の説明】
【００２８】
１、１Ａ    コンプレッサハウジング（ターボ過給機用コンプレッサハウジング）
１０、１０Ａ    スクロールピース
１１      吸気口
１２      吐出口
１３      吸入流路
１４      吸気側スクロール室壁面
１５      スクロール室外周壁面
１６      第１補充部
１７      スクロール室
１７Ａ    外周側内壁面
１７Ｂ    内周側内壁面
１８      第２補充部
２０、２０Ａ    シュラウドピース
２１      シュラウド面
２２      シュラウドピース欠損部
３０      リアピース
３１      リアピース欠損部
Ｋ１      第１仮想接線
Ｋ２      第２仮想接線
Ｋ３      延長線
Ｋ４      垂線
ＺＣ      回転軸
α        第１領域
β        第２領域
【図１】
2014020312.tif 000003
【図２】
2014020312.tif 000004
【図３】
2014020312.tif 000005
【図４】
2014020312.tif 000006
【図５】
2014020312.tif 000007
【図６】
2014020312.tif 000008
【図７】
2014020312.tif 000009
【図８】
2014020312.tif 000010
【図９】
2014020312.tif 000011